(57)【要約】      （修正有）【課題】飲料や調味料等の液体商品をボトル状液体包装容器に充填包装した数本の液体包装容器入り商品を、そのボトルや瓶容器の首部の注出口部にて纏めて結束するボトルホルダーを、商品販売促進用のキャンペーンツールとして使用できるようにする。【解決手段】天面部４と両側面部１、３と底面部２とからなる断面四角形筒状体の底面部２に、複数のボトル状容器上部の首部を嵌入係止するための係止用の各々孔設部８を備えるボトルホルダーＡにおいて、天面部４または両側面部１、３のうちいずれか一面の長手方向の両端部間に、筒状体を開封する開封用の帯状ファスナー部１０を設け、前記底面部の各々孔設部間に形成される底面部内面のうちいずれかの内面又は全内面にキャンペーン用の抽選用表示部９を設けた。【選択図】図１
2010274959.tif 000002
【特許請求の範囲】
【請求項１】
天面部と両側面部と底面部とからなる断面四角形筒状体の底部に、複数のボトル状容器上部の首部を嵌入係止するための係止用の孔設部を備えるボトルホルダーにおいて、天面部または両側面部のうちいずれか一面の長手方向の両端部間に、筒状体を開封する開封用の帯状ファスナー部を設けたことを特徴とするキャンペーン用ボトルホルダー。
【請求項２】
天面部と両側面部と底面部とからなる断面四角形筒状体の底面部に複数のボトル状容器上部の首部を嵌入係止するための係止用の各々孔設部を備えるボトルホルダーにおいて、天面部または両側面部のうちいずれか一面の長手方向の両端部間に、筒状体を開封する開封用の帯状ファスナー部を設け、前記底面部の各々孔設部間に形成される底面部内面のうちいずれかの内面又は全内面に、キャンペーン用の抽選用表示部を設けたことを特徴とするキャンペーン用ボトルホルダー。
【請求項３】
天面部と両側面部と底面部とからなる断面四角形筒状体の底面部に、複数のボトル状容器上部の首部を嵌入係止するための係止用の各々孔設部を備えるボトルホルダーにおいて、天面部または両側面部のうちいずれか複数面の長手方向の両端部間に、筒状体を開封する開封用の帯状ファスナー部を設け、前記底面部の各々孔設部間に形成される底面部内面のうちいずれかの内面又は全内面に、キャンペーン用の抽選用表示部を設けたことを特徴とするキャンペーン用ボトルホルダー。
【請求項４】
天面部と両側面部と底面部とからなる断面四角形筒状体の底面部に、複数のボトル状容器上部の首部を嵌入係止するための係止用の各々孔設部を備えるボトルホルダーにおいて、天面部の長手方向の両端部間に筒状体を開封する開封用の帯状ファスナー部を設け、前記底面部の各々孔設部間に形成される底面部内面のうちいずれかの内面又は全内面に、キャンペーン用の抽選用表示部を設けたことを特徴とするキャンペーン用ボトルホルダー。
【請求項５】
前記底面部の各々孔設部間に形成される底面部内面のうち該底面部の長手方向中央部の内面又はその中央部近傍寄りの内面に、キャンペーン用の抽選用表示部を設けたことを特徴とする請求項２乃至４のいずれか１項に係るキャンペーン用ボトルホルダー。
【発明の詳細な説明】
【技術分野】
【０００１】
本発明は、飲料や調味料等の液体商品をペットボトルや瓶などのボトル状液体包装容器に充填包装した数本の液体包装容器入り商品の販売促進用のキャンペーンツールとして使用できるようにしたキャンペーン用ボトルホルダーに関する。
【背景技術】
【０００２】
従来より、飲料や調味料等の液体商品を、プラスチック製やガラス製のペットボトルや瓶などの液体包装容器に充填包装した数本の液体包装容器入り商品を、その容器の注出口部にて結束して纏め、片手にて数本を一度に持ち運びできるようにしたボトルキャリングホルダーとして、例えば特許文献１、２、３、４がある。
【０００３】
一般に、このようなペットボトル状の液体包装容器入り商品は、その商品を数本毎に纏めてボトルホルダーにより結束固定して、スーパーや店頭などに陳列して販売されるが、これら商品の販売促進や商品のキャンペーン期間中には、その商品を購入した顧客に対して、製造販売者側によって、サービス券や景品の当たる抽選券や応募券を配布するなどの企画が実施される。
【０００４】
そして商品を購入した顧客が、このようなキャンペーンに参加する場合は、顧客が貰った抽選券や応募券を返信用の葉書等に貼付して、製造販売者側に郵送することにより参加することができる。
【０００５】
しかしながら近年は、顧客が貰った抽選券や応募券に記載表示されている情報を基に、携帯電話或いはパソコンからインターネットを介して製造販売者側のキャンペーン用ウエブサイトにアクセスすることによりキャンペーンに参加できるようになってきており、サービス券や抽選券や応募券を返信用の葉書等に貼付し郵送するキャンペーン参加システムでは、時間と手間が掛かっていた。
【先行技術文献】
【特許文献】
【０００６】
【特許文献１】特公昭４４−１１４５０号
【特許文献２】実開平３−１７０６３号
【特許文献３】特開２００７−３１４１９５号
【特許文献４】特開２００８−３０８２０号
【発明の概要】
【発明が解決しようとする課題】
【０００７】
本発明の課題は、飲料や調味料等の液体商品をペットボトルや瓶などのボトル状液体包装容器に充填包装した数本の液体包装容器入り商品を、そのボトルや瓶容器の首部の注出口部にて纏めて結束するボトルホルダーを、商品販売促進用のキャンペーンツールとして使用できるようにすることにある。
【課題を解決するための手段】
【０００８】
本発明の請求項１に係る発明は、天面部と両側面部と底面部とからなる断面四角形筒状体の底部に、複数のボトル状容器上部の首部を嵌入係止するための係止用の孔設部を備えるボトルホルダーにおいて、天面部または両側面部のうちいずれか一面の長手方向の両端部間に、筒状体を開封する開封用の帯状ファスナー部を設けたことを特徴とするキャンペーン用ボトルホルダーである。
【０００９】
本発明の請求項２に係る発明は、天面部と両側面部と底面部とからなる断面四角形筒状体の底面部に、複数のボトル状容器上部の首部を嵌入係止するための係止用の各々孔設部を備えるボトルホルダーにおいて、天面部または両側面部のうちいずれか一面の長手方向の両端部間に、筒状体を開封する開封用の帯状ファスナー部を設け、前記底面部の各々孔設部間に形成される底面部内面のうちいずれかの内面又は全内面に、キャンペーン用の抽選用表示部を設けたことを特徴とするキャンペーン用ボトルホルダーである。
【００１０】
本発明の請求項３に係る発明は、天面部と両側面部と底面部とからなる断面四角形筒状体の底面部に、複数のボトル状容器上部の首部を嵌入係止するための係止用の各々孔設部を備えるボトルホルダーにおいて、天面部または両側面部のうちいずれか複数面の長手方向の両端部間に、筒状体を開封する開封用の帯状ファスナー部を設け、前記底面部の各々孔設部間に形成される底面部内面のうちいずれかの内面又は全内面に、キャンペーン用の抽選用表示部を設けたことを特徴とするキャンペーン用ボトルホルダーである。
【００１１】
本発明の請求項４に係る発明は、天面部と両側面部と底面部とからなる断面四角形筒状体の底面部に、複数のボトル状容器上部の首部を嵌入係止するための係止用の各々孔設部を備えるボトルホルダーにおいて、天面部の長手方向の両端部間に筒状体を開封する開封用の帯状ファスナー部を設け、前記底面部の各々孔設部間に形成される底面部内面のうちいずれかの内面又は全内面に、キャンペーン用の抽選用表示部を設けたことを特徴とするキャンペーン用ボトルホルダーである。
【００１２】
本発明の請求項５に係る発明は、上記請求項２乃至４のいずれか１項に係るキャンペーン用ボトルホルダーにおいて、前記底面部の各々孔設部間に形成される底面部内面のうち該底面部の長手方向中央部の内面又はその中央部近傍寄りの内面に、キャンペーン用の抽選用表示部を設けたことを特徴とするキャンペーン用ボトルホルダーである。
【発明の効果】
【００１３】
本発明のキャンペーン用ボトルホルダーは、複数本のボトル状容器を嵌入係止した状態にて店頭販売したり、筒状体のホルダーを把持して複数本のボトル状容器を一括して持ち運ぶことができる。
【００１４】
また本発明のキャンペーン用ボトルホルダーは、天面部、側面部などの面部に形成されている帯状ファスナー部を切り離すことにより、その面部をホルダー長手方向に分離させて、筒状体のホルダーを開封することができ、ホルダー内に嵌入係止されている首部を外側に露呈させることができる。そのため、開封したホルダーの外側から、ホルダー内にてボトル状容器の首部を係止している内側に傾斜している係止部を外側に傾斜させて係止動作を容易に解除させることができる。
【００１５】
また、従来のような購買者がボトル容器に貼付されているサービス券や抽選券や応募券を返信用の葉書等に貼付して製造販売者に郵送するキャンペーン参加システムでは、時間と手間が掛かっていたものを、購買者が店頭にて筒状体のボトルホルダーを開封することにより、ホルダーの底面部内面に、該ホルダーの外側からは目視では見えない状態（隠蔽状態）で表示されているキャンペーン用の抽選用表示部（キャンペーン参加の可否情報表示部など）を、購買者と製造販売者とにより、開封されたホルダーの外側から目視にて容易に確認することが可能になる。
【００１６】
そのため携帯電話或いはパソコンなどからインターネットを介して製造販売者側のキャンペーン用ウエブサイトにアクセスしてキャンペーンに参加できるシステムと同様に、手間が掛からず迅速に、キャンペーン用の抽選用表示部を確認してキャンペーンに参加する
ことが可能になる。
【００１７】
このように本発明のボトルホルダーは、飲料や調味料等の液体商品をペットボトルや瓶などのボトル状液体包装容器に充填包装した数本のボトル状容器入り液体商品を、そのボトル状容器の首部の注出口部にて纏めて結束して、商品販売促進用のキャンペーンツールとして使用することができる効果がある。
【図面の簡単な説明】
【００１８】
【図１】（ａ）は本発明のキャンペーン用ボトルホルダーの一実施例におけるブランクシート、（ｂ）は本発明のキャンペーン用ホルダーの一実施例における全体斜視図。
【図２】（ａ）は本発明のキャンペーン用ボトルホルダーの他の実施例におけるブランクシート、（ｂ）は本発明のキャンペーン用ボトルホルダーの他の実施例における全体斜視図。
【図３】（ａ）〜（ｂ）は本発明のキャンペーン用ボトルホルダーにボトル状容器を嵌入係止する形態を説明する側面図。
【図４】本発明のキャンペーン用ボトルホルダーに複数本（二本）のボトル状容器を嵌入係止した状態を説明する正面図。
【図５】本発明のキャンペーン用ボトルホルダーにおけるボトル状容器の嵌入係止構造を説明する側面図。
【発明を実施するための形態】
【００１９】
本発明のキャンペーン用ボトルホルダーの実施の形態を、図面に基づいて以下に詳細に説明すれば、図１（ａ）は本発明のホルダーＡを作成するためのブランクシートであり、上記ブランクシートは、平行な折目ａ、ｂ、ｃ、ｄを介して、長方形状の側面部１、底面部２、側面部３、天面部４と、前記側面部１に貼着される貼着面部５が順に連設されている。なおブランクシートの素材は、特に限定されないが、例えば厚紙、ダンボール、プラスチックシートなどである。
【００２０】
図１（ａ）に示すように、前記底面部２には、複数本のボトル状容器（例えば２本のボトル容器）の各々首部を嵌入係止するためのそれぞれ孔設部８（８、８）を備え、前記天面部４（又は両側面部１、３のうちいずれか一面）の長手方向の両端部間には、その長手方向に開封用の帯状ファスナー部１０が設けられている。前記帯状ファスナー部１０は、前記天面部４（又は両側面部１、３のうちいずれか一面）の長手方向の両端部を結ぶ、図示するような屈曲線が断続するパターン状線、直線が断続する破断線、ミシン目など、二本の刻切線１０ａ、１０ａにより形成される。なお、前記帯状ファスナー部１０は、両側面部１、３のうちいずれか一面の長手方向の両端部間に設けられていてもよいし、天面部４または両側面部１、３のうちいずれか複数面の長手方向の両端部間に設けられていてもよい。そして帯状ファスナー部１０の長手方向の形状は、図示するように直線状でもよいし、曲線状、屈曲線状、ジグザグ状でもよい。
【００２１】
図１（ａ）において、前記貼着面部５の面に、折目ｄに沿う網点にて示す領域は、貼着面部５が側面部１に貼着される貼着領域１１（接着領域）を示すものである。なお、容器の首部とは、例えば、容器注出口に施蓋したキャップ、及び該キャップを施蓋した注出口下部のフランジ部を意味する。
【００２２】
図１（ｂ）は、本発明のボトルホルダーＡの全体斜視図であり、上記ブランクシートを
折目ａ、ｂ，ｃ、ｄを介して同一方向に折り、側面部１、底面部２、側面部３、天面部４、貼着面部５を、各々直角に折り曲げて、前記側面部１を貼着面部５に重ね合わせ、その側面部１と貼着面部５とを貼着領域１１にて貼着することにより、長方形や正方形の四角形状の開口部１２、１３を、両端部に備える筒状体である本発明のボトルホルダーＡが作成される。
【００２３】
帯状ファスナー部１０は、前述したように、両側面部１、３のうち、いずれか一面の長手方向の両端部間に設けられていてもよいし、天面部４または両側面部１、３のうちいずれか複数面の長手方向の両端部間に設けられていてもよいが、必要に応じて、ボトルホルダーＡの筒状体の長手方向の両端部を結ぶように、天面部４と側面部１、又は天面部４と側面部３、又は天面部４と両側面部１、３に、跨がるように該筒状体の外周を螺旋状に設け、ホルダーＡの筒状体が螺旋状に開封されるようにしてもよい。
【００２４】
図１（ｂ）において、前記天面部４に形成される各々孔設部８は、天面部４にボトル状容器の首部を嵌入可能なサイズ（嵌入可能な最小サイズが適当）であって、天面部４の各々折目ａ、ｂに、幅ｗの繋ぎ部ｇを残して、該首部の水平断面形状に近似する部分円形状等のパターン状に、対向する切込線ｅ、ｅと、該切込線ｅ、ｅに連続して、その対向間に各々折目ａ、ｂに対して等距離に平行に対向するそれぞれ直線形状の切込線ｆ、ｆとを刻切することにより形成されている。なお、切込線ｆ、ｆの対向間は切抜部７となる。
【００２５】
このようにして前記底面部２には、幅ｗの繋ぎ部ｇを残して形成された各々切込線ｅ、ｅと、切込線ｆ、ｆとにより、各々折目ａ、ｂに連設された対向する一対の係止板６、６を備えた各々孔設部８が形成されている。
【００２６】
本発明のボトルホルダーＡは、図１（ａ）又は（ｂ）に示すように、前記底面部２に形成された複数の各々孔設部８間に挟まれて形成される該底面部２の各々内面のうち、いずれかの内面、又は各々孔設部８間に挟まれて形成される該底面部２の全内面には、キャンペーン用の抽選用表示部９（例えば当たり、はずれ等の抽選情報表示部）が形成されている。
【００２７】
図２（ａ）は、本発明のキャンペーン用ボトルホルダーＡを作成するためのブランクシートの他の実施の形態を示し、平行な折目ａ、ｂ、ｃを介して、長方形状の側面部１、底面部２、側面部３、天面部４が順に連設され、前記側面部１には、前記折目ａ、ｂ、ｃに平行な折目ｄを介して天面部４に貼着される貼着面部５が連設されているものである。
【００２８】
前記底面部２には、例えば２本のボトル容器の各々首部を嵌入係止するためのそれぞれ孔設部８、８を備え、前記天面部４（又は両側面部１、３のうちいずれか一面）の長手方向の両端部間には、その長手方向に開封用の帯状ファスナー部１０が設けられている。なお、前記帯状ファスナー部１０は、両側面部１、３のうちいずれか一面の長手方向の両端部間に設けられていてもよいし、天面部４または両側面部１、３のうちいずれか複数面の長手方向の両端部間に設けられていてもよい。
【００２９】
上記図２（ａ）に示す他の実施の形態においては、天面部４が貼着面部５の表側（面上側）に貼着される場合に、天面部４に形成された帯状ファスナー部１０による筒状体の開封機能が達成されるように天面部４と貼着面部５との貼着領域を設定する必要がある。
【００３０】
そのため、貼着面部５の面に網点にて示す領域は、貼着面部５が天面部４に貼着される貼着領域１１（接着領域）を示すものであるが、この貼着領域１１の幅ｗ2 は、天面部４の折目ｄに平行な外端部から帯状ファスナー部１０までの幅ｗ2 に等しく設定することが適当である。
【００３１】
図２（ｂ）は本発明のボトルホルダーＡの全体斜視図であり、上記ブランクシートを折目ａ、ｂ，ｃ、ｄを介して同一方向に折り、側面部１、底面部２、側面部３、天面部４、貼着面部５を、各々直角に折り曲げて、前記天面部４を貼着面部５面上に重ね合わせ、その天面部４と貼着面部５とを貼着領域１１にて貼着して作成される。天面部４と貼着面部５は、貼着領域１１以外では貼着されずに互いに離反するため、図２（ｂ）に示す本発明のボトルホルダーＡは、天面部４に形成された帯状ファスナー部１０を切り離すことにより、天面部４は分離して貼着面部５から互いに離反する。
【００３２】
本発明のキャンペーン用ボトルホルダーＡを用いて、その底面部２に孔設された孔設部８に、ボトル状容器の注出口部である首部を嵌入係止する方法を説明すれば、図３（ａ）〜（ｂ）は、本発明のキャンペーン用ボトルホルダーＡと、ボトル状容器Ｂと、その注出口部である首部Ｃと、そのホルダーＡの底面部２に孔設された孔設部８にボトル状容器Ｂの首部Ｃを嵌入係止する方法を説明する側面図である。
【００３３】
図３（ａ）に示すように、ボトル状容器Ｂの注出口部である首部Ｃは、その注出口先端部に施蓋されたキャップＣ1 （例えば、図示するように注出口先端部の外周に設けた螺設部に螺着されたキャップ、あるいは凹凸嵌合により施蓋されたキャップなど）と、該注出口の螺設部の下部に張り出し形成されたフランジ部Ｃ2 と、フランジ部Ｃ2 の下部の筒部Ｃ3 とを備えている。キャップＣ1 とフランジ部Ｃ2 とは、その上面視において円形状など同形状であり、また孔設部８の孔径よりも僅かに小径であって、各々略同径であり、筒部Ｃ3 はキャップＣ1 を螺着した螺設部を備える注出口と同径である。
【００３４】
図３（ａ）において、まず、本発明のキャンペーン用ボトルホルダーＡの底面部２に孔設された孔設部８の真下に、ボトル状容器Ｂの首部ＣのキャップＣ1 を位置決めして、首部ＣのキャップＣ1 の上面を底面部２の下面から孔設部８に接近させる。
【００３５】
さらに、図３（ｂ）に示すように、首部ＣのキャップＣ1 上面部分にて孔設部８の対向する係止板６、６を、下方から上方に向かって押し分けるようにして押し拡げて、ボトルホルダーＡの筒状体内に押し入れながら、首部ＣのキャップＣ1 とフランジ部Ｃ2 と筒部Ｃ3 とをボトルホルダーＡの筒状体内に嵌入する。
【００３６】
図３（ｂ）に示すように首部Ｃの嵌入が完了した時点で、押し拡げられて対向する各係止板６、６の先端部は、互いに対向側に接近するように傾斜した状態で、首部Ｃのフランジ部Ｃ2 の張り出し部の下面に嵌入して、筒部Ｃ3 の外周面に当接する。これにより傾斜して対向する係止板６、６は、その先端部が、フランジ部Ｃ2 （首部Ｃ）のホルダーＡ内における下方への移動、及び孔設部８内からの離脱を阻止させ、ボトル状容器Ｂの首部Ｃは孔設部８内に係止されるものである。
【００３７】
また、首部Ｃの嵌入が完了した時点で、ホルダーＡの天面部４内面と首部ＣのキャップＣ1 上面とは、互いに当接するか、僅かなクリアランス（１ｍｍ以内）を備えていることが適当である。
【００３８】
図４は、本発明のボトルホルダーＡの複数の各々孔設部８内に複数本のボトル状容器Ｂの首部Ｃを嵌入し、それぞれの孔設部８に備える対向する一対の係止板６、６にて首部Ｃを係止して、ホルダーＡに複数本のボトル状容器Ｂを係止した状態を示す正面図であり、この状態にて店頭販売したり、筒状体のホルダーＡを把持して複数本のボトル状容器Ｂを一括して持ち運ぶことができる。
【００３９】
本発明のキャンペーン用ボトルホルダーＡは、天面部４、側面部１、３のいずれかの面
部に形成されている帯状ファスナー部１０を切り離す、例えば、図５（ａ）に示すように天面部４に形成されている帯状ファスナー部１０を切り離すことにより、その面部をホルダー長手方向に分離させて、図５（ｂ）に示すように、筒状体のホルダーＡを開封することができ、ホルダーＡ内にて傾斜して対向する係止部６、６の先端部をフランジ部Ｃ2 下面から外方に回避させることにより、首部Ｃに対する係止部６、６の係止動作を解除させることができる。
【００４０】
また、筒状体のホルダーＡを開封することにより、図５（ｂ）に示すように、ホルダーＡ内の底面部２にホルダーＡの外側からは見えない状態で表示されているキャンペーン用の抽選用表示部９をホルダーＡの外側から目視にて確認することが可能になる。
【符号の説明】
【００４１】
Ａ…ボトルホルダー
Ｂ…ボトル状容器
Ｃ…首部（注出口部）
Ｃ1 …キャップ
Ｃ2 …フランジ部
Ｃ3 …注出筒部
１…側面部
２…底面部
３…側面部
４…天面部
５…貼着面部
６…係止部
７…切抜部
８…孔設部
９…抽選用表示部
１０…帯状ファスナー部
１０ａ…切込線部
１１…貼着領域
【図１】
2010274959.tif 000003
【図２】
2010274959.tif 000004
【図３】
2010274959.tif 000005
【図４】
2010274959.tif 000006
【図５】
2010274959.tif 000007